(57)【要約】【課題】  径の異なる複数種類の洗濯機の風呂水吸水口に接続可能な接続継手を提供する。【解決手段】  風呂水吸水用のポンプを備えた洗濯機４の風呂水吸水口８に接続する継手７であって、この継手７は、風呂水吸水口８内に差し込まれる挿入部１０と、風呂水吸水口８の外周の鍔部８ａに係合される爪部を備え、挿入部１０には、先端側の方が径が小さい径の異なる複数のＯリング装着溝内に装着された複数のＯリング１２ａ，１２ｂが設けられているとともに、爪部１４ａ，１４ｂも複数設けられて構成されている。【選択図】  図２
2005194841.tif 000002
【特許請求の範囲】
【請求項１】
風呂水吸水用のポンプを備えた洗濯機の風呂水吸水口に接続する継手であって、該継手は、前記風呂水吸水口内に差し込まれる挿入部と、風呂水吸水口の外周の鍔部に係合される爪部を備え、
前記挿入部には、先端側の方が径の小さい径の異なる複数のＯリング装着溝内に装着された複数のＯリングが設けられているとともに、前記爪部も複数設けられていることを特徴とする風呂水吸水用接続継手。
【請求項２】
風呂水吸水用のポンプを備えた洗濯機の風呂水吸水口に接続する継手であって、該継手は、前記風呂水吸水口内に差し込まれる挿入部と、風呂水吸水口の外周の鍔部に係合される爪部を備え、
前記挿入部は、ゴム等の止水可能素材で先端が縮径したテーパー形状に形成されているとともに、前記爪部は複数設けられていることを特徴とする風呂水吸水用接続継手。
【発明の詳細な説明】
【技術分野】
【０００１】
本発明は、洗濯機の風呂水吸水口に接続する風呂水吸水用接続継手に関するものである。
【背景技術】
【０００２】
従来、特許文献１に開示されているように、浴槽の残り湯を洗濯機に送水するために、洗濯機の風呂水吸水口に、ホース側の接続継手を接続している。
【特許文献１】特開２００３−２６８８１８号公報
【発明の開示】
【発明が解決しようとする課題】
【０００３】
従来では、洗濯機の風呂水吸水口の大きさが、洗濯機メーカーによりまちまちであり、複数種類の洗濯機に対応するためには、接続継手を複数用意するか、または、複数のアタッチメントを用いて接続可能な洗濯機の機種を増やすことが試みられているが、何れの場合も部品点数が増えてしまうという問題点があった。
【課題を解決するための手段】
【０００４】
本発明は上記従来の問題点に鑑み案出したものであって、１種類の接続継手を用いて多くの洗濯機の風呂水吸水口に接続可能となる風呂水吸水用接続継手を提供せんとするものであり、その請求項１は、風呂水吸水用のポンプを備えた洗濯機の風呂水吸水口に接続する継手であって、該継手は、前記風呂水吸水口内に差し込まれる挿入部と、風呂水吸水口の外周の鍔部に係合される爪部を備え、前記挿入部には、先端側の方が径の小さい径の異なる複数のＯリング装着溝内に装着された複数のＯリングが設けられているとともに、前記爪部も複数設けられていることである。
【０００５】
また請求項２は、風呂水吸水用のポンプを備えた洗濯機の風呂水吸水口に接続する継手であって、該継手は、前記風呂水吸水口内に差し込まれる挿入部と、風呂水吸水口の外周の鍔部に係合される爪部を備え、前記挿入部は、ゴム等の止水可能素材で先端が縮径したテーパー形状に形成されているとともに、前記爪部は複数設けられていることである。
【発明の効果】
【０００６】
本発明は、洗濯機の風呂水吸水口に接続する継手は、風呂水吸水口内に差し込まれる挿入部と、風呂水吸水口の外周の鍔部に係合される爪部を備え、挿入部には、先端側の方が径の小さい径の異なる複数のＯリング装着溝内に装着された複数のＯリングが設けられているとともに、爪部も複数設けられていることにより、洗濯機の風呂水吸水口の内径が異なっていても、複数のＯリングのうち何れかによって止水を行うことができ、またその際、複数の爪のうち何れかが風呂水吸水口側の鍔部と係合し、接続継手の脱落を防ぐことができ、多くの種類の異なる洗濯機の風呂水吸水口に接続が可能となる効果を有する。
【０００７】
また、洗濯機の風呂水吸水口に接続する継手は、風呂水吸水口内に差し込まれる挿入部と、風呂水吸水口の外周の鍔部に係合される爪部を備え、挿入部は、ゴム等の止水可能素材で先端が縮径したテーパー形状に形成されているとともに、爪部は複数設けられていることにより、洗濯機の風呂水吸水口の内径が異なっていても、テーパー形状の挿入部を風呂水吸水口に差し込むことによって、良好に止水を行うことができ、その際、複数の爪のうち何れかが風呂水吸水口側の鍔部と係合し、接続継手の脱落を防ぐことができ、多くの種類の異なる洗濯機の風呂水吸水口に接続継手を接続できるものとなる。
【実施例】
【０００８】
以下、本発明の実施例を図面に基づいて説明する。
図１は、浴槽と洗濯機の配置構成図であり、浴室１内に設置されている浴槽２の残り湯を、洗面室３側に設けられた洗濯機４に送水するために、浴槽２には取水口２ａが設けられており、この取水口２ａに、エプロンの裏側を通し、また床パンの底側を通し、更に洗面室３の壁面の裏側を通して配管５が配設されており、この配管５の洗面室３の出口側にはホース６が設けられ、ホース６の先端には接続継手７が設けられて、この接続継手７を介して洗濯機４側の風呂水吸水口８に接続できるように構成されている。
なお、洗濯機４内には風呂水吸水用のポンプが内臓されており、洗濯機４のポンプを作動させることで、浴槽２内の残り湯を洗濯機４内に導入できるものである。
【０００９】
図２の断面図で示すものは、洗濯機４側に立ち上げ形成されている風呂水吸水口８に、接続継手７を接続した状態の断面構成図である。また図３は、図２の外観構成図である。
なお、洗濯機４側の風呂水吸水口８の上端側外周には、外方向へ突出して鍔部８ａが形成されている。
【００１０】
接続継手７は、図４の断面図で、また、図５で外観を示すような形状に形成されている。
即ち、接続継手７はＬ字状に形成されており、一端側には、風呂水吸水口８内に差し込むことのできる挿入部１０が形成されており、他端側には、ホース６が装着されるホース装着部１１が形成されている。
挿入部１０の外周には、小径Ｏリング装着溝１０ａと、大径Ｏリング装着溝１０ｂが、上下に間隔をおいて凹み状に形成されており、先端側の小径Ｏリング装着溝１０ａの外径の方が、大径Ｏリング装着溝１０ｂの外径よりも小径に設定されている。
この小径Ｏリング装着溝１０ａ内には、Ｏリング１２ａが嵌め込まれており、また大径Ｏリング装着溝１０ｂには、大径Ｏリング１２ｂが装着されている。
【００１１】
また、大径Ｏリング装着溝１０ｂの図示上方には、外方へ突出して鍔部１０ｃが形成されている。また、前記ホース装着部１１側にも、外方へ突出した鍔部１１ａが形成されている。
また、挿入部１０側には、脱落防止アーム１３が外側へ向けて一体形成されている。
この脱落防止アーム１３は、挿入部１０側の鍔部１０ｃの図示上方から外側へ湾曲状に突出する弾性部１３ａと、この弾性部１３ａの先端から、Ｏリング１２ａ，１２ｂ側へ向かって傾斜状を成す傾斜片１３ｂと、この傾斜片１３ｂの上端で上方へ突出した操作部１３ｃを有し、傾斜片１３ｂの下端側には、上下に間隔をおいて、挿入部１０側へ突出して下爪部１４ａと上爪部１４ｂが一体形成されている。下爪部１４ａは前記小径Ｏリング１２ａの外側のやや上方に向けて突出されており、また上爪部１４ｂは大径Ｏリング１２ｂの外側のやや上方に向けて突出されている。
【００１２】
配管５に接続されたホース６を、接続継手７のホース装着部１１に、先端を鍔部１１ａにほぼ当接させた状態で嵌め込んでおき、ホース６と共に接続継手７を、洗濯機４側に突出された風呂水吸水口８に接続できるものであり、図２及び図３に示すように、風呂水吸水口８の内径が大である場合には、接続継手７の挿入部１０を上方より深く差し込んで、小径Ｏリング１２ａ及び大径Ｏリング１２ｂを風呂水吸水口８の内周側に配置させ、特に大径Ｏリング１２ｂを風呂水吸水口８の内周に密着状態とさせて、良好に止水することができ、図２及び図３では風呂水吸水口８の上端がほぼ鍔部１０ｃに当接状態となっている。
一方、操作部１３ｃを指で押圧して、傾斜片１３ｂの下端側を開け、風呂水吸水口８の鍔部８ａの下面に上爪部１４ｂを係合させることができ、この係合状態では、風呂水吸水口８からの接続継手７及びホース６の脱落を完全に防ぐことができるものとなる。
【００１３】
なお、洗濯機４側に突出されている風呂水吸水口８の内径が小径である場合には、図６に示すように、接続継手７の挿入部１０を風呂水吸水口８内に上方より浅く差し込んで、小径Ｏリング１２ａのみを風呂水吸水口８の内周に密着させて、良好に止水することができ、この時には、風呂水吸水口８の鍔部８ａには下爪部１４ａを係合させて、脱落を防ぐことができるものである。
【００１４】
なお、本例では、接続継手７の挿入部１０に、径の異なる２種類のＯリング装着溝１０ａ，１０ｂを形成させたものを例示しているが、挿入部１０には、更に３本または４本等の複数の径の異なるＯリング装着溝を形成させておき、それぞれにＯリングを装着して構成することができ、複数の径の異なるＯリングの何れかを洗濯機４側の風呂水吸水口８の内径に合わせて密着させて、良好に止水することができる。
この場合、脱落防止アーム１３にも、３個や４個の爪部を形成させておき、何れかの爪部を洗濯機４側の風呂水吸水口８の鍔部８ａに係合させて脱落を防ぐことができ、径の異なる複数種類の風呂水吸水口８に対し、１種類の接続継手７を介してホース６を良好に接続することができるものとなり、洗濯機メーカーにより風呂水吸水口８の径が異なる場合でも、良好に対応してホース６を接続することができるものとなる。
【００１５】
なお、図７に断面で、また図８に外観図で示す接続継手７は変更例を示すものであり、図７及び図８に示す接続継手７では、挿入部１０Ａが、先端側が縮径したテーパー形状に形成されており、このテーパー挿入部１０Ａは、例えばゴム等の止水可能な素材で形成させておくことができ、このテーパー挿入部１０Ａを洗濯機４側の風呂水吸水口８内に差し込むことで、風呂水吸水口８の径が異なる場合でも、良好にテーパー挿入部１０Ａのテーパー面が風呂水吸水口８の内周面に密着して、良好に止水することができるものとなり、径の異なる複数種類の風呂水吸水口８に対して、良好にテーパー挿入部１０Ａを挿着して接続継手７を接続できるものとなる。
また、この場合も、脱落防止アーム１３には、複数の爪部１４ａ，１４ｂを設けておき、何れかの爪部を風呂水吸水口８の鍔部８ａに係合させて、良好に脱落を防ぐことができるものとなる。
【図面の簡単な説明】
【００１６】
【図１】浴槽と洗濯機の配置構成図である。
【図２】洗濯機側の風呂水吸水口に、接続継手を介しホースを接続した状態の断面構成図である。
【図３】図２の外観構成図である。
【図４】接続継手の断面構成図である。
【図５】接続継手の外観構成図である。
【図６】内径の細い風呂水吸水口に接続継手を接続した状態の断面構成図である。
【図７】変更例を示す接続継手の断面構成図である。
【図８】図７の外観構成図である。
【符号の説明】
【００１７】
１  浴室
２  浴槽
２ａ  取水口
３  洗面室
４  洗濯機
５  配管
６  ホース
７  接続継手
８  風呂水吸水口
８ａ  鍔部
１０  挿入部
１０ａ  小径Ｏリング装着溝
１０ｂ  大径Ｏリング装着溝
１０ｃ  鍔部
１０Ａ  テーパー挿入部
１１  ホース装着部
１２ａ  小径Ｏリング
１２ｂ  大径Ｏリング
１３  脱落防止アーム
１３ａ  弾性部
１３ｂ  傾斜片
１３ｃ  操作部
１４ａ  下爪部
１４ｂ  上爪部
【図１】
2005194841.tif 000003
【図２】
2005194841.tif 000004
【図３】
2005194841.tif 000005
【図４】
2005194841.tif 000006
【図５】
2005194841.tif 000007
【図６】
2005194841.tif 000008
【図７】
2005194841.tif 000009
【図８】
2005194841.tif 000010